(57)【要約】      （修正有）【課題】テニス、バトミントン、卓球等の試合競技において、試合競技の組み合わせ、順序を表示すると共に、或はゲームカウント及びボールカウントを表示して、試合を円滑に進めることが出来る試合競技の表示装置を提供する。【解決手段】円柱形状物の円周外周部に、試合競技の組み合わせ表１とボールカウント表２とゲームカウント表３を張り付け、その上から組み合わせ用カーソル５と指示カーソル７が、円周外周部を回転出来るように巻き付け配置される。【選択図】図３
0003223603.tif 000002
【実用新案登録請求の範囲】
【請求項１】
円柱形状物の円周外周部に、試合競技の組み合わせ表を張り付け、その上から組み合わせ用カーソルが、円柱形状物の円周外周部を回転出来るように巻き付け配置してなる試合競技の表示装置。
【請求項２】
請求項１において、円柱形状物が金属製のテニスボール缶である試合競技の表示装置。
【請求項３】
請求項２において、組み合わせ用カーソルの材質が、少なくとも一部が磁性の有る素材である試合競技の表示装置。
【請求項４】
円柱形状物の円周外周部に、ボールカウント表とゲームカウント表を張り付け、その上から指示カーソルが、円柱形状物の円周外周部を回転出来るように巻き付け配置してなる試合競技の表示装置。
【請求項５】
請求項４において、円柱形状物が金属製のテニスボール缶である試合競技の表示装置。
【請求項６】
請求項５において、指示カーソルの材質が、少なくとも一部が磁性の有る素材である試合競技の表示装置。
【請求項７】
円柱形状物の円周外周部に、試合競技の組み合わせ表とボールカウント表とゲームカウント表を張り付け、その上から組み合わせ用カーソルと指示カーソルが、円柱形状物の円周外周部を回転出来るように巻き付け配置してなる試合競技の表示装置。
【請求項８】
請求項７において、円柱形状物が、金属製のテニスボール缶である、試合競技の表示装置。
【請求項９】
請求項８において、組み合わせ用カーソルと指示カーソルの材質が、少なくとも一部が磁性の有る素材である試合競技の表示装置。
【請求項１０】
円柱形状物の円周外周部に、指示部を張り付け、その上からボールカウント表カーソルとゲームカウント表カーソルが、円柱形状物の円周外周部を回転出来るように巻き付け配置してなる試合競技の表示装置。
【請求項１１】
請求項１０において、円柱形状物が金属製のテニスボール缶である試合競技の表示装置。
【請求項１２】
請求項１１において、ボールカウント表カーソルとゲームカウント表カーソルの材質が、少なくとも一部が磁性の有る素材である試合競技の表示装置。
【請求項１３】
円柱形状物の円周外周部に、指示部と試合競技の組み合わせ表を張り付け、その上からボールカウント表カーソルとゲームカウント表カーソルと組み合わせ用カーソルが、円形形状物の円周外周部を回転出来るように巻き付け配置してなる試合競技の表示装置。
【請求項１４】
請求項１３において、円柱形状物が金属製のテニスボール缶である試合競技の表示装置。
【請求項１５】
請求項１４において、ボールカウント表カーソルとゲームカウント表カーソルと組み合わせ用カーソルの材質が、少なくとも一部が磁性の有る素材である試合競技の表示装置。
【考案の詳細な説明】
【技術分野】
【０００１】
本考案はテニス、バトミントン、卓球等の試合競技において、試合の組み合わせと順序を表示すると共に、或はボールカウント及びゲームカウントを表示して試合を円滑に進めることが出来る表示装置に関するものである。
【背景技術】
【０００２】
試合の組み合わせと順序を表示する表示用ユニットについては、特開２０１１−５６２３３が公知である。これは、テニスボール入れケースに、組み合わせ表が外から見える様に丸めて挿入し、手を離すと用紙は自然にケース内側に貼り付き、更にその用紙の内側にプラスチックフイルムを円筒状に丸めて内筒を挿入し用紙をケース内側との間に挟み込むように貼り付かせ、ケース外側に回転できるカーソルを取り付け、カーソルの適所に一か所組み合わせ該当枠を設け、この様に用意されたケースの中にテニスボールと袋に入れたくじ棒を収容する事を特徴とするものになっている。
【先行技術文献】
【特許文献】
【０００３】
【特許文献１】特開２０１１−５６２３３号公報
【考案の概要】
【考案が解決しようとする課題】
【０００４】
組み合わせ表が外から見えるように、ボールケースの中に組み合わせ表を挿入するため、要件としてボールケースが透明な製品である必要が有る。テニスボールには、ボール内部の圧力を約１．８気圧にして、気密性があり約２気圧に加圧した金属缶が数多く使われている。また透明なプラスチック製で出来たボールケースであっても、円筒の円周部に文字や図柄を印刷して少なくとも一部が透明でない製品が、数多く存在している。従って、これらのボールケースは、外筒として使えない。次に、カーソルに一か所の組み合わせ該当枠を設けて、カーソルを回転或は上下移動させて、組み合わせと順序を表示するようになっているが、現在の組み合わせしか知ることが出来ない。自分の試合順序が次なのか、次の次なのか、いつになるのか一目で分かれば、空き時間の予想がつき、順序が来る前に、トイレなど用事を済ますことも出来る。  
また、カーソルが不意な衝撃、動作などで動き、組み合わせ該当枠がずれてしまう恐れが有った。
一方、試合競技中に審判を行っていると、ボールカウント、ゲームカウントを数えている時に、ラリーが長く続くとボールカウントやゲームカウントがどうだったか、失念してしまう事が良くある。その為、ゲームを中断してゲームの進行を妨げたり、試合競技者間の雰囲気を険悪なものに変えてしまう事が有った。そして、ボールカウント及びゲームカウントを表示する簡易な装置が、今まで無かった。
【課題を解決するための手段】
【０００５】
本考案に係る試合競技の表示装置は、円柱形状物の円周外周部に、試合競技の組み合わせ表を張り付け、その上から組み合わせ用カーソルを円柱形状物の円周外周部を回転出来るように巻き付ける。
または、円柱形状物の円周外周部に、ボールカウント表とゲームカウント表を張り付け、その上から指示カーソルが、円柱形状物の円周外周部を回転出来るように巻き付ける。
または、円柱形状物の円周外周部に、試合競技の組み合わせ表とボールカウント表とゲームカウント表を張り付け、その上から組み合わせ用カーソルと指示カーソルが、円柱形状物の円周外周部を回転出来るように巻き付ける。
または、円柱形状物の円周外周部に、指示部を張り付け、その上からボールカウント表カーソルとゲームカウント表カーソルが、円柱形状物の円周外周部を回転出来るように巻き付ける。
または、円柱形状物の円周外周部に、試合競技の組み合わせ表と指示部を張り付け、その上からボールカウント表カーソルとゲームカウント表カーソルと組み合わせ用カーソルが、円柱形状物の円周外周部を回転出来るように巻き付ける。
試合競技の組み合わせと順序は、組み合わせ用カーソルを回転し、その表示部が示す組み合わせ表の位置で、現在の試合、次の試合の組み合わせと順序が表示される。
ボールカウントは、左側及び右側の指示カーソルを回転し、その指示部が示すボールカウント表の位置で、ボールカウントが表示される。
または、指示部の位置に、左側及び右側のボールカウント表カーソルを回転し、ボールカウントを表示する。
ゲームカウントは、左側及び右側の指示カーソルを回転し、その指示部が示すゲームカウント表の位置で、ゲームカウントが表示される。
または、指示部の位置に、左側及び右側のゲームカウント表カーソルを回転し、ゲームカウントを表示する。
カーソルの材質は、金属製のテニスボール缶の場合、円周外周部に滑らかな回転を得ると共に、磁性を有して緩く固着する事が出来るので、少なくとも一部が磁性を有する素材を用いる。
【考案の効果】
【０００６】
本考案においては、円柱形状物の円周外周部に組み合わせ表などを張り付けて用いるため、円柱形状物の材質、並びに透明、不透明、形状が円筒、円柱体に係らず用いることが出来る。そして、組み合わせと順序は、組み合わせ用カーソルの表示部が示す位置で、現在行われている試合競技及び次の試合競技が表示されるので、組み合わせ該当枠で他の組み合わせ表示が隠れる事が無く、先の組み合わせ、順序を一目で知ることが出来る。
また、円柱形状物が金属製のテニスボール缶の場合、カーソルの材質が少なくとも一部が磁性の有る素材である場合、円柱形状物と程よく固着している為に、不意な衝撃や動作等でもカーソルがずれずに正確に表示することが出来、テニス、バトミントン、卓球等の試合競技を円滑に進める事に寄与する事が出来る。さらに、ボールカウント及びゲームカウントが表示出来るので、試合競技中にラリーが長く続いてもボールカウントやゲームカウントを失念することなく試合競技を円滑に進める事が出来る。
【図面の簡単な説明】
【０００７】
【図１】本考案の試合競技の組み合わせと順序を表示する実施例を示す図である。
【図２】本考案のボールカウントとゲームカウントを表示する実施例を示す図である。
【図３】本考案の試合競技の組み合わせと順序及びボールカウントとゲームカウントを表示する実施例を示す図である。
【図４】本考案のボールカウントとゲームカウントを表示する実施例を示す図である。
【図５】本考案の試合競技の組み合わせと順序及びボールカウントとゲームカウントを表示する実施例を示す図である。
【考案を実施するための形態】
【０００８】
図１にテニスのダブルスの試合競技を例に、本考案に係る試合競技の組み合わせと順序の表示装置の実施例を示す。  
参加人員が対戦相手、ペア、試合競技回数、休憩の回数、休憩の間隔などが偏ることなく試合競技出来るように、参加人数に応じた組み合わせになる様に、マス目で組み合わせ表（１）を作成する。
次に、円柱形状物（８）の円周外周部（９）の上に組み合わせ表（１）を張り付ける。なお、雨や汚れや摩耗から組み合わせ表（１）の耐久性向上並びにカーソルの滑らかな滑りを得る為に、組み合わせ表（１）の上から透明フイルムを張り付けても良い。その上から、組み合わせ用カーソル（５）が、円周外周部（９）を回転出来るように巻き付ける。試合競技の組み合わせと順序は、組み合わせ用カーソル（５）を回転し、その表示部（４）が示す組み合わせ表（１）の位置で、現在の試合と次の試合が表示される。
【０００９】
図２にテニスの試合競技を例に、本考案に係るボールカウントとゲームカウントの表示装置の実施例を示す。
ボールカウントの０、１５、３０、４０、Ａをマス目状に記した、ボールカウント表（２）を２個作成する。
ゲームカウントの０〜８をマス目状に記した、ゲームカウント表（３）を２個作成する。
次に、円柱形状物（８）の円周外周部（９）の左端から、指示カーソル（７）、ボールカウント表（２）、指示カーソル（７）、ゲームカウント表（３）、ゲームカウント表（３）、指示カーソル（７）、ボールカウント表（２）、指示カーソル（７）の順に並ぶように仮配置する。そして、ボールカウント表（２）、ゲームカウント表（３）を夫々所定の位置に張り付ける。なお、雨や汚れや摩耗からボールカウント表（２）、ゲームカウント表（３）の耐久性向上並びにカーソルの滑らかな滑りを得る為に、ボールカウント表（２）、ゲームカウント表（３）の上から透明フイルムを張り付けても良い。その上から指示カーソル（７）が円周外周部（９）を回転出来るように巻き付ける。
左側コートのボールカウントは、円周外周部（９）の左側のボールカウント表（２）の左側の指示カーソル（７）を回転し、その指示部（６）が示す右側のボールカウント表（２）の位置で示される。
対戦相手の右側コートのボールカウントは、円周外周部（９）の右側のボールカウント表（２）の右側の指示カーソル（７）を回転し、その指示部（６）が示す左側のボールカウント表（２）の位置で示される。
左側コートのゲームカウントは、円周外周部（９）のゲームカウント表（３）の左側の指示カーソル（７）を回転し、その指示部（６）が示す右側のゲームカウント表（３）の位置で示される。
対戦相手の右側コートのゲームカウントは、円周外周部（９）のゲームカウント表（３）の右側の指示カーソル（７）を回転し、その指示部（６）が示す左側のゲームカウント表（３）の位置で示される。
【００１０】
図３にテニスのダブルスの試合競技を例に、本考案に係る試合競技の組み合わせと順序及びボールカウント及びゲームカウントの表示装置の実施例を示す。
参加人員が対戦相手、ペア、試合競技回数、休憩の回数、休憩の間隔などが偏ることなく試合競技出来るように、参加人数に応じた組み合わせになる様に、マス目で組み合わせ表（１）を作成する。
ボールカウントの０、１５、３０、４０、Ａをマス目状に記した、ボールカウント表（２）を２個作成する。
ゲームカウントの０〜８をマス目状に記した、ゲームカウント表（３）を２個作成する。
組み合わせ用カーソル（５）に、現在の試合と次の試合が分かるように、色や図及び或は文字で、マス目状に作成して表示部（４）を作成する。このマス目の高さは、組み合わせ表（１）のマス目の高さと同じにする。指示部（６）を、色や図及び或は文字で作成した、指示カーソル（７）を作成する。
次に、円柱形状物（８）の円周外周部（９）の左端から、指示カーソル（７）、ボールカウント表（２）、指示カーソル（７）、ゲームカウント表（３）、組み合わせ表（１）、ゲームカウント表（３）、指示カーソル（７）、ボールカウント表（２）、指示カーソル（７）の順に並ぶように仮配置する。そして、ボールカウント表（２）、ゲームカウント表（３）、組み合わせ表（１）を夫々所定の位置に張り付ける。
なお、雨や汚れや摩耗からボールカウント表（２）、ゲームカウント表（３）、組み合わせ表（１）の耐久性向上並びにカーソルの滑らかな滑りを得る為に、ボールカウント表（２）、ゲームカウント表（３）、組み合わせ表（１）の上から透明フイルムを張り付けても良い。
その上から、指示カーソル（７）が所定の位置で円周外周部（９）を回転出来るように巻き付ける。組み合わせ表（１）の上から、組み合わせ用カーソル（５）が円周外周部（９）を回転出来るように巻き付ける。
試合競技の組み合わせと順序は、組み合わせ用カーソル（５）を回転し、その表示部（４）が示す組み合わせ表（１）の位置で現在の試合と次の試合が表示される。
左側コートのボールカウントは、円周外周部（９）の左側のボールカウント表（２）の左側の指示カーソル（７）を回転し、その指示部（６）が示す右側のボールカウント表（２）の位置で示される。
対戦相手の右側コートのボールカウントは、円周外周部（９）の右側のボールカウント表（２）の右側の指示カーソル（７）を回転し、その指示部（６）が示す左側のボールカウント表（２）の位置で示される。
左側コートのゲームカウントは、円周外周部（９）のゲームカウント表（３）の左側の指示カーソル（７）を回転し、その指示部（６）が示す右側のゲームカウント表（３）の位置で示される。
対戦相手の右側コートのゲームカウントは、円周外周部（９）のゲームカウント表（３）の右側の指示カーソル（７）を回転し、その指示部（６）が示す左側のゲームカウント表（３）の位置で示される。
【００１１】
図４にテニスの試合競技を例に、本考案に係るボールカウントとゲームントの表示装置の他の実施例を示す。
円柱形状物（８）の円周外周部（９）の左端から、指示部（６）、ボールカウント表カーソル（１０）、ゲームカウント表カーソル（１１）、ゲームカウント表カーソル（１１）、ボールカウント表カーソル（１０）、指示部（６）の順に並ぶように仮配置する。そして、指示部（６）を夫々所定の位置に張り付ける。なお、雨や汚れから指示部（６）の耐久性向上を得る為に、指示部（６）の上から透明フイルムを張り付けても良い。
その次に、ボールカウント表カーソル（１０）、ゲームカウント表カーソル（１１）を円周外周部（９）を回転出来るように巻き付ける。
左側コートのボールカウントは、円周外周部（９）の左側のボールカウント表カーソル（１０）を回転し、その指示部（６）が示す位置で示される。
対戦相手の右側コートのボールカウントは、円周外周部（９）の右側のボールカウント表カーソル（１０）を回転し、その指示部（６）が示す位置で示される。
左側コートのゲームカウントは、円周外周部（９）の左側ゲームカウント表カーソル（１１）を回転し、その指示部（６）が示す位置で示される。
対戦相手の右側コートのゲームカウントは、円周外周部（９）の右側のゲームカウント表カーソル（１１）を回転し、その指示部（６）が示す位置で示される。
【００１２】
図５にテニスのダブルスの試合競技を例に、本考案に係る試合競技の組み合わせと順序及びボールカウント及びゲームカウントの表示装置の他の実施例を示す。
参加人員が、対戦相手、ペア、試合競技回数、休憩の回数、休憩の間隔などが偏ることなく試合競技出来るように、参加人数に応じた組み合わせになる様に、マス目で組み合わせ表（１）を作成する。
ボールカウントの０、１５、３０、４０、Ａをマス目状に記したボールカウント表カーソル（１０）を２個作成する。
ゲームカウントの０〜８をマス目状に記したゲームカウント表カーソル（１１）を２個作成する。
組み合わせ用カーソル（５）に、現在の試合と次の試合が分かるように色や図及び或は文字で、マス目状に作成して表示部（４）を作成する。このマス目の高さは、組み合わせ表（１）のマス目の高さと同じにする。指示部（６）を、色や図及び或は文字で作成する。
次に、円柱形状物（８）の円周外周部（９）の左端から、指示部（６）、ボールカウント表カーソル（１０）、ゲームカウント表カーソル（１１）、組み合わせ表（１）、ゲームカウント表カーソル（１１）、ボールカウント表カーソル（１０）、指示部（６）を仮配置する。
そして、指示部（６）、組み合わせ表（１）を、夫々所定の位置に張り付ける。なお、雨や汚れや摩耗から指示部（６）、組み合わせ表（１）の耐久性の向上並びにカーソルの滑らかな滑りを得る為に指示部（６）、組み合わせ表（１）の上から透明フィルムを張り付けても良い。その上から、ボールカウント表カーソル（１０）、ゲームカウント表カーソル（１１）が、所定の位置で円周外周部（９）を回転出来るように巻き付ける。組み合わせ表（１）の上から、組み合わせ用カーソル（５）が円周外周部（９）を回転出来るように巻き付ける。
試合競技の組み合わせと順序は、組み合わせ用カーソル（５）を回転し、その表示部（４）が示す組み合わせ表（１）の位置で現在の試合と次の試合が表示される。
左側コートのボールカウントは、円周外周部（９）の左側のボールカウント表カーソル（１０）を回転し、その指示部（６）が示す右側のボールカウント表カーソル（１０）の位置で示される。
対戦相手の右側コートのボールカウントは、円周外周部（９）の右側のボールカウント表カーソル（１０）を回転し、その指示部（６）が示す左側のボールカウント表カーソル（１０）の位置で示される。
左側コートのゲームカウントは、円周外周部（９）の左側のゲームカウント表カーソル（１１）を回転し、その指示部（６）が示すゲームカウント表カーソル（１１）の位置で示される。
対戦相手の右側コートのゲームカウントは、円周外周部（９）のゲームカウント表カーソル（１１）を回転し、その指示部（６）が示すゲームカウント表カーソル（１１）の位置で示される。
【符号の説明】
【００１３】
１    組み合わせ表
２    ボールカウント表
３    ゲームカウント表
４    表示部
５    組み合わせ用カーソル
６    指示部
７    指示カーソル
８    円柱形状物
９    円周外周部
１０  ボールカウント表カーソル
１１  ゲームカウント表カーソル
【図１】
0003223603.tif 000003
【図２】
0003223603.tif 000004
【図３】
0003223603.tif 000005
【図４】
0003223603.tif 000006
【図５】
0003223603.tif 000007